(57)【要約】【課題】本発明の課題は、ひざを固定するためにサポーターを装着したとしても、容易に位置ずれすることのないひざ用サポーターを提供することにある。【解決手段】使用者のひざの上部に巻きつけるために左右に所定の長さを有する帯状の第１帯部と、使用者のひざの下部に巻きつけるために左右に第２の所定の長さを有する第２帯部と、前記第１帯部と、前記第２帯部とを、接続する接続手段と、を有するひざ用サポーターである。【選択図】            図１
2018114120.tif 000002
【特許請求の範囲】
【請求項１】
使用者のひざの上部に巻きつけるために左右に所定の長さを有する帯状の第１帯部と、
使用者のひざの下部に巻きつけるために左右に第２の所定の長さを有する第２帯部と、
前記第１帯部と、前記第２帯部とを、接続する接続手段と、を有するひざ用サポーター。
【請求項２】
前記第１帯部は、左右方向の中央部において使用者のひざ裏を露出するために縦方向に幅の狭い本体中央部と、その本体中央部の両側にその本体中央部よりも下方に突出する第１凸部と第２凸部とを有し、
前記第２帯部は、左右方向の中央部において使用者のひざ裏を露出するために縦方向に幅の狭い第２本体中央部と、その第２本体中央部の両側にその第２本体中央部よりも上方に突出する第３凸部と第４凸部と、を有し、
前記第１帯部における第１凸部と第２凸部と、前記第２帯部における第３凸部と第４凸部と、をそれぞれ前記接続手段によって接続した請求項１記載のひざ用サポーター。
【請求項３】
前記接続手段は、縫いつけて接続した請求項１または２記載のひざ用サポーター。
【請求項４】
使用者のひざ上にまきつけたときに固定することができる雄型面ファスナーを前記第１帯部の左右両端部のいずれか一方に配置し、雌型面ファスナーを前記第１帯部に配置した請求項１から３いずれか１項記載のひざ用サポーター。
【請求項５】
前記第２帯部に、使用者のひざ下にまきつけたときにさらに締め付けることができる締め付けベルトをさらに有する請求項１から４いずれか１項記載のひざ用サポーター。
【発明の詳細な説明】
【技術分野】
【０００１】
本発明は、屈伸運動等による位置ずれを可及的に減少することができるひざ用サポーターに関するものである。
【背景技術】
【０００２】
ひざ用サポーターに関するものとして、特開２０１４−６１１３９号公報に記載された、背面帯本体の両側に膝の上下に巻きつける締付用帯部を二股状に連設して、前記各締付用帯部の先端内面に面ファスナー雄部を設けて、また、各締付用帯部の外面側には前記面ファスナー雄部が係止できる面ファスナー雌部を形成して、膝の上下において夫々向かい合う締付用帯部の先端側を重ね合わせて、外側に重ねた締付用帯部の先端内面に設けた面ファスナー雄部を内側に重ねた締付用帯部の外面側に形成した面ファスナー雌部に係止して装着する膝関節用サポーターであって、前記各締付用帯部の先端を折り返して重合させてパット部を形成できるものとして、前記内側に重ね合わせた締付用帯部の先端を折り返して重合させてパット部を形成して装着することを特徴とする膝関節用サポーターが知られている。
【０００３】
これは、ひざを取り囲むように、上下に締め付ける帯部を有するものであり、ひざの上部において締付固定している締付用帯部は膝の下側に位置ずれすることはないとされている。また、ひざの下部において締付固定している締付用帯部は膝の上側にずれることはないとされている。従って、歩行、屈伸動作によっても締付用帯部が位置ずれすることがなく的確な締付固定を持続できるといわれている。
【０００４】
しかしながら、歩行あるいはひざの曲げ伸ばしなどの屈伸運動をすると、徐々にこのサポーターが位置ずれしてしまい、適切にひざ周りを保護することが困難となる。
【先行技術文献】
【特許文献】
【０００５】
【特許文献１】特開２０１４−６１１３９号
【発明の開示】
【発明が解決しようとする課題】
【０００６】
本発明は前記の点に着目してなされたもので、その課題は、ひざを固定するためにサポーターを装着したとしても、容易に位置ずれすることのないひざ用サポーターを提供することを課題とする。
【０００７】
上記課題を解決するために、第１観点におけるひざ用サポーターは、使用者のひざの上部に巻きつけるために左右に所定の長さを有する帯状の第１帯部と、使用者のひざの下部に巻きつけるために左右に第２の所定の長さを有する第２帯部と、第１帯部と、第２帯部とを、接続する接続手段と、を有するものである。
【０００８】
第２観点におけるひざ用サポーターは、第１観点において、第１帯部は、左右方向の中央部において使用者のひざ裏を露出するために縦方向に幅の狭い本体中央部と、その本体中央部の両側にその本体中央部よりも下方に突出する第１凸部と第２凸部とを有し、第２帯部は、左右方向の中央部において使用者のひざ裏を露出するために縦方向に幅の狭い第２本体中央部と、その第２本体中央部の両側にその第２本体中央部よりも上方に突出する第３凸部と第４凸部とを有し、第１帯部における第１凸部と第２凸部と、第２帯部における第３凸部と第４凸部と、をそれぞれ接続手段によって接続したというものである。
【０００９】
第３観点におけるひざ用サポーターは、第１観点または第２観点において、その接続手段は、縫いつけて接続したというものである。
【００１０】
第４観点におけるひざ用サポーターは、第１観点から第３観点において、使用者のひざ上にまきつけたときに固定することができる雄型面ファスナーを第１帯部の左右両端部のいずれか一方に配置し、雌型面ファスナーを第１帯部の左右両端部の他方に配置したというものである。
【００１１】
第５観点におけるひざ用サポーターは、第１観点から第３観点において、前記第２帯部に、使用者のひざ下にまきつけたときにさらに締め付けることができる締め付けベルトをさらに有するというものである。
【発明の効果】
【００１２】
本発明によれば、ひざを固定するためにサポーターを装着したとしても、容易に位置ずれすることのないひざ用サポーターを提供することができる。
【図面の簡単な説明】
【００１３】
【図１】Ａは、使用者の脚部に第１実施例におけるひざ用サポーターを装着した正面図。Ｂは、Ａの背面図。
【図２】Ａは、第１実施例におけるひざ用サポーターの正面図。Ｂは、Ａの背面図。
【図３】Ａは、第１実施例におけるひざ用サポーターの平面図。Ｂは、第１実施例におけるひざ用サポーターの側面図。
【図４】Ａは、第１実施例におけるひざ用サポーターの斜視図。
【図５】図２におけるＹ部分の拡大図。
【図６】Ａは、使用者の脚部に第２実施例におけるひざ用サポーターを装着した正面図。Ｂは、Ａの背面図。
【図７】Ａは、第２実施例におけるひざ用サポーターの正面図。Ｂは、Ａの背面図。
【図８】Ａは、第２実施例におけるひざ用サポーターの平面図。Ｂは、第２実施例におけるひざ用サポーターの側面図。
【図９】Ａは、第２実施例におけるひざ用サポーターの斜視図。Ｂは、第２実施例におけるひざ用サポーターの背面斜視図。Ａは、第１実施例におけるひざ用サポーターの斜視図。
【図１０】図７におけるＸ部分の拡大図。
【発明を実施するための形態】
【００１４】
第１実施例におけるひざ用サポーター１０は、柔軟性を有するものであり、使用者のひざを固定するために装着したときに、使用者のひざＮの上部であって大腿部Ｄに配置される第１帯部２０と、その使用者のひざＮの下部であって、その使用者のすね部Ｓに配置される第２帯部４０とを有する（図１Ａ参照）。従って、ひざ用サポーター１０を使用者の脚部にまきつけた場合に、その使用者のひざ部Ｎは露出する。また同様に、ひざ用サポーター１０を使用者の脚部にまきつけた場合に、その使用者のひざ裏Ｎ１も露出する（図１Ｂ参照）。また、後述するように、第１帯部２０と第２帯部４０とは接続手段６０、６０によって接続されている（図１Ａ、Ｂ参照）。
【００１５】
第１帯部２０は、左右方向Ｈに所定の長い形状を呈する本体部２１と、その本体部２１の左右方向の中央部において、後述するように使用者のひざ裏Ｎ１を露出するために縦方向Ｖの方向に湾曲する形状である幅の狭い第１中央部２２と、その第１中央部２２の両側にその第１中央部２２よりも下方に突出する第１凸部２３と第２凸部２４とを有する。
【００１６】
また、本体部２１の外周を取り囲むように縁部３０を有する。本体部２１は、伸縮性を有するメッシュ生地で作成されている。また縁部３０についても、伸縮性を有するものである。このような第１帯部２０は、上記のとおり使用者のひざＮを囲むようにそのひざＮの上部すなわち大腿部ＤのうちひざＮに近い箇所に巻きつけるというものである。従って所定の長さとは、使用者の大腿部Ｄにまきつけることができる長さということである。また、本体部２１の一方の端部である左端部２５と他方の端部である右端部２６とにおいて、本体部２１の左端部２５の表面に雌型面ファスナー２７を配置し、本体部２１の右端部２６の裏面に雄型面ファスナー２８とをそれぞれ配置する（図２Ａ参照）。なお、雌型面ファスナー２８と雄型面ファスナー２７との配置を逆にすることもできる。
【００１７】
このように、第１帯部２０は、左右方向Ｈの２点において下方に突出する第１凸部２３と第２凸部２４と、を有する。第１凸部２３と第２凸部２４との間の第１中央部２２は、縦方向Ｖの幅が、その第１凸部２３と第２凸部２４よりも狭い構成でありその第１中央部２２は第１凸部２３および第２凸部２４を頂点として、上方に湾曲した凹部２２ｃを有している。従って、第１凸部２３と、上方に湾曲した凹部２２ｃと第２凸部２４とによって波型形状を呈している。なお、第１凸部２３および第２凸部２４と比べて、凹部２２ｃの湾曲する縦方向のへこみ量は相対的なものである。これについてはさらに後述する。
【００１８】
また、このように第１帯部２０は、縦方向Ｖに幅の狭い第１中央部２２から、左右方向の第１凸部２３と第２凸部２４にかけて徐々に幅広となり、その、第１凸部２３と第２凸部２４が、その縦方向Ｖにおける第１帯部２０の幅広のピークであり、さらに左右方向Ｈのそれぞれの一方の端部である左端部２５と他方の端部である右端部２６にかけて徐々に幅が狭くなるという構成である。従って、第１帯部２０を大腿部Ｄにまきつけたときに、左端部２５と右端部２６の縦方向の幅が狭いことから、ひざＮが露出する構成とすることができる。
【００１９】
第２帯部４０は、左右方向Ｈに長い第２の所定の長さを有する第２本体部４１と、その第２本体部４１の左右方向の中央部において縦方向Ｖの幅が狭い第２中央部４２と、その第２中央部４２の両側にその第２中央部４２よりも上方に突出する第３凸部４３と第４凸部４４とを有する。
【００２０】
第２本体部４１の外周を取り囲むように第２縁部５０を有する。第２本体部４１は、伸縮性を有するメッシュ生地で作成されている。また第２縁部５０についても、伸縮性を有するものである。このような第２帯部４０は、上記のとおり使用者のひざＮを挟んで下部すなわちすね部ＳのうちひざＮに近い箇所に巻きつけることができることが好ましい。従って、第２の所定の長さとは、使用者のすね部Ｓにまきつけることができる長さである。また、第２本体部４１の一方の端部である第２左端部４５と他方の端部である第２右端部４６とにおいて第２本体部４１における第２右端部４６の表面に雌型面ファスナー４８を配置し、第２本体部４１の第２左端部４５の裏面に雄型面ファスナー４７とをそれぞれ配置する（図２Ａ参照）。なお、雌型面ファスナー４８と雄型面ファスナー４７との配置を逆にすることもできる。
【００２１】
また、第２本体部４０は、長手方向の２点において上方に突出する第３凸部４３と第４凸部４４と、を有する。第３凸部４３と第４凸部４４との間の第２中央部４２は縦方向Ｖに幅の狭い構成であり、それら第３凸部４３およびと第４凸部４４より、下方に湾曲した第２凹部４２ｃを構成している。従って、第３凸部４３と、下方に湾曲した第２凹部４２ｃと第４凸部４４とによって波型形状を呈している。なお、第３凸部４３およびと第４凸部４４と、第２凹部４２ｃの湾曲する縦方向のへこみ量は相対的なものである。これについては、さらに後述する。
【００２２】
また、このように第２帯部４０は、縦方向Ｖに幅の狭い第２中央部４２から、左右方向の第３凸部４３と第４凸部４４にかけて徐々に縦方向Ｖに幅広となり、その、第３凸部４３と第４凸部４４が、その縦方向Ｖにおける第２帯部４０の幅広のピークであり、さらに左右方向Ｈのそれぞれの一方の端部である第２左端部４５と他方の端部である第２右端部４６にかけて徐々に幅が狭くなるという構成である。従って、第２帯部４０をすね部Ｓにまきつけたときに、第２左端部４５と第２右端部４６の縦方向の幅が狭いことから、ひざＮが露出する構成とすることができる。
【００２３】
上記の第１本体部２０と第２本体部４０とは接続手段６０を用いて接続されている。すなわち、接続手段６０は、第１凸部２３と第３凸部４３と、を縫着して接続する。具体的には、第１凸部２３と第３凸部４３とをわずかに重ね合わせその重ねた部分を糸で縫うようにして接続する縫着手段６０ａを用いる。縫着手段６０ａは、いわゆるカン止めが好ましい。このように、糸で縫って接続する際にその接続する箇所は、できるだけピンポイントとなるようにごく狭い範囲を縫い付けることが好ましく、ピンポイントであるためにその縫うための幅は、１０ミリメートル以下が好ましくさらに好ましくは５ミリメートル以下であり、０．５ミリメートル以上が好ましい。さらには２ミリメートル以下であり、０．５ミリメートル以上が好ましい。また、また、強度の高い糸を使用することが好ましく、ナイロンまたはポリエステルが好ましい。また、第２凸部２４と第凸部４４も上記と同様の接続手段６０を用いて接続する。なお接続手段６０として、上記のとおり、縫って接続する縫着手段６０ａのほかに、リベット止めあるいは、下向きのコの字状のピン、たとえばステイプラーのようなピン類の接続手段によって接続することもできる。
【００２４】
なお、第１凸部２３およびと第２凸部２４と比べて、凹部２２ｃの湾曲する縦方向のへこみ量は相対的なものであるとし、第３凸部４３およびと第４凸部４４と、第２凹部４２ｃの湾曲する縦方向のへこみ量は相対的なものであるとした意義は、上記のとおり接続手段６０，６０において第１帯部２０と第２帯部４０とを接続する際に凹部２２ｃと第２凹部４２ｃとで構成される箇所に使用者のひざ裏Ｎ１が露出するように巻きつけるためである同時に、その接続手段６０、６０が配置されている第１凸部２３と第３凸部４３および第２凸部２４と第４凸部４４がピンポイントとなるように接続するためである。
【００２５】
このように２つの独立した部材である第１帯部２０と第２帯部４０とを接続手段６０、６０で接続することで、使用者が屈伸運動をして、仮に第１帯部２０が大腿部Ｄの方向に移動しようとする場合であっても、その接続手段６０、６０における接続する箇所が上述のとおりピンポイントであるために、その引っ張られる箇所がその接続する箇所にとどまることで、第２帯部４０が第１帯部２０にひきずられにくくなり、その第２帯部４０が、大腿部Ｄの方向に移動する位置ずれを可及的に防止することができる。また、逆も同様であり、すなわち仮に第２帯部４０がすね部Ｓの方向に移動しようとする場合であっても、その接続手段６０、６０における接続する箇所が上述のとおりピンポイントであるために、その引っ張られる箇所がその接続する箇所にとどまることで、第１帯部２０が、第２帯部４０にひきずられにくくなり、その第１帯部２０が、すね部Ｓの方向に移動する位置ずれを可及的に防止することができる。なお、この場合の他の接続手段６０について、縫着手段６０ａを用いることが好ましいことは言うまでもない。
【００２６】
第２実施例におけるひざ用サポーター１００は、柔軟性を有するものであり、使用者のひざを固定するために装着したときに、使用者のひざＮの上部であって大腿部Ｄに配置される他の第１帯部１２０と、その使用者のひざＮの下部であって、その使用者のすね部Ｓに配置される他の第２帯部１４０とを有する（図７Ａ参照）。従ってひざ用サポーター１００を使用者の脚部にまきつけた場合に、その使用者のひざ部Ｎは露出する。また同様に、ひざ用サポーター１００を使用者の脚部にまきつけた場合に、その使用者のひざ裏Ｎ１も露出する（図７Ｂ参照）。また、後述するように、他の第１帯部１２０と他の第２帯部１４０とは他の接続手段１６０、１６０によって接続されている（図７Ａ、Ｂ参照）。
【００２７】
他の第１帯部１２０は、左右方向Ｈに所定の長い形状を呈する他の本体部１２１と、その他の本体部１２１の左右方向の中央部において、後述するように使用者のひざ裏Ｎ１を露出するために縦方向Ｖの方向に湾曲する形状である幅の狭い他の第１中央部１２２と、その他の第１中央部１２２の両側にその他の第１中央部１２２よりも下方に突出する他の第１凸部１２３と他の第２凸部１２４とを有する。
【００２８】
また、他の本体部１２１の外周を取り囲むように他の縁部１３０を有する。他の本体部１２１は、伸縮性を有し、圧縮ウレタンを芯材とし表面の全体を雌型面ファスナーとし、裏面をジャージ生地とし、その芯材である圧縮ウレタンをその雌型面ファスナーとそのジャージ生地で挟み込むように構成されている。このような他の第１帯部１２０は、上記のとおり使用者のひざＮを囲むようにそのひざＮの上部すなわち大腿部ＤのうちひざＮに近い箇所に巻きつけるというものである。従って、所定の長さとは、使用者の大腿部Ｄにまきつけることができる長さということである。また、他の本体部１２１の表面に全体に雌型面ファスナーを配置し、他方の端部である右端部１２６の裏面に雄型面ファスナー１２８を配置する。なお、これを、他の第１本体部１２１の左端に設けることもできる。
【００２９】
このように、他の第１帯部１２０は、左右方向Ｈの２点において下方に突出する他の第１凸部１２３と他の第２凸部１２４と、を有する。他の第１凸部１２３と他の第２凸部１２４との間の他の第１中央部１２２は、縦方向Ｖの幅が、その他の第１凸部１２３と他の第２凸部１２４よりも狭い構成であり、その他の第１中央部１２２は他の第１凸部１２３および他の第２凸部１２４を頂点として、上方に湾曲した他の凹部１２２ｃを有している。従って、他の第１凸部１２３と、下方に湾曲した他の凹部１２２ｃと他の第２凸部１２４とによって波型形状を呈している。なお、他の第１凸部１２３および他の第２凸部１２４と比べて、他の凹部１２２ｃの湾曲する縦方向のへこみ量は相対的なものである。これについてはさらに後述する。
【００３０】
また、このように他の第１帯部１２０は、縦方向Ｖに幅の狭い、他の第１中央部１２２から、左右方向の他の第１凸部１２３と他の第２凸部１２４にかけて徐々に幅広となり、その、他の第１凸部１２３と他の第２凸部１２４が、その縦方向Ｖにおける幅広のピークであり、さらに左右方向Ｈのそれぞれの一方の端部である他の左端部１２５と他方の端部である他の右端部１２６にかけて徐々に幅が狭くなるという構成である。従って、他の第１帯部１２０を大腿部Ｄにまきつけたときに、他の左端部１２５と他の右端部１２６の縦方向の幅が狭いことから、ひざＮが露出する構成とすることができる。
【００３１】
他の第２帯部１４０は、左右方向Ｈに長い他の第２本体部１４１と、その他の第２本体部１４１の左右方向の中央部において縦方向Ｖの幅が狭い他の第２中央部１４２と、その他の第２中央部１４２の両側にその他の第２中央部１４２よりも上方に突出する他の第３凸部１４３と他の第４凸部１４４とを有する。
【００３２】
他の第２本体部１４１の外周を取り囲むように他の第２縁部１５０を有する。他の第２本体部１４１は、伸縮性を有し、圧縮ウレタンを芯材とし他の第２本体部１４１における表面の全体を雌型面ファスナーとし、裏面をジャージ生地とし、その芯材である圧縮ウレタンをその雌型面ファスナーとそのジャージ生地で挟み込むように構成されている。また他の第２縁部１５０についても、伸縮性を有するものである。このような他の第２帯部１４０は、上記のとおり使用者のひざＮを挟んでその下部、すなわちすね部ＳのうちひざＮに近い箇所に巻きつけるというものである。従って、所定の長さとは、使用者のすね部Ｓにまきつけることができる長さということである。また、他の第２本体部１４１の他の第２右端部１４６の裏面に雄型面ファスナー１４８を配置する。なお、これを、第２本体部１４１の左端に設けることもできる。
【００３３】
また、他の第２本体部１４０は、長手方向の２点において上方に突出する他の第３凸部１４３と他の第４凸部１４４と、を有する。他の第３凸部１４３と他の第４凸部１４４との間の他の第２中央部１４２は縦方向Ｖに幅の狭い構成であり、それら他の第３凸部１４３および他の第４凸部１４４より、下方に湾曲した他の第２凹部１４２ｃを構成している。従って、他の第３凸部１４３と、下方に湾曲した他の第２凹部１４２ｃと他の第４凸部１４４とによって波型形状を呈している。なお、他の第３凸部１４３および他の第４凸部１４４と、他の第２凹部１４２ｃの湾曲する縦方向のへこみ量は相対的なものである。これについては、さらに後述する。
【００３４】
このように他の第２帯部１４０は、縦方向Ｖに幅の狭い他の第２中央部１４２から、左右方向の他の第３凸部１４３と他の第４凸部１４４にかけて徐々に縦方向Ｖに幅広となり、その、他の第３凸部１４３と他の第４凸部１４４が、その縦方向Ｖにおける他の第２帯部１４０の幅広のピークであり、さらに左右方向Ｈのそれぞれの一方の端部である他の第２左端部１４５と他方の端部である他の第２右端部１４６にかけて徐々に幅が狭くなるという構成である。従って、他の第２帯部１４０をすね部Ｓにまきつけたときに、他の第２左端部１４５と他の第２右端部１４６の縦方向の幅が狭いことから、ひざＮが露出する構成とすることができる。
【００３５】
他の第２帯部１４０に、締め付けベルト３００を有している（図８Ｂ参照）。締め付けベルト３００は、ベルト本体部３１０と、ベルト受け部３２０とを有し、他の第２左端部１４５に、ベルト受け部３２０を配置し、他の第２右端部１４６にベルト本体部３１０を配置している。また、ベルト本体部３１０の表面に雌型面ファスナーを配置し、そのベルト本体部３１０の先端に雄型面ファスナー３１１を配置している。またベルト受け部３２０は、ベルト本体部３１０を挿入することができる環状部を有し、その環状部にベルト本体部３１０を挿通し、雄型面ファスナー３１１を本体部３１０の表面における雌型面ファスナーに取り付けることによって第２帯部１４０を締め付けベルト３００によって締め付けることができる。
【００３６】
上記の他の第１本体部１２０と他の第２本体部１４０とは他の接続手段１６０を用いて接続されている。すなわち、他の接続手段１６０は、他の第１凸部１２３と他の第３凸部１４３と、を縫着して接続する。具体的には、他の第１凸部１２３と他の第３凸部１４３とを接するように配置し、その部分を糸で縫うようにして接続する縫着手段１６０ａ，１６０ｂを用いる。縫着手段１６０ａ、１６０ｂは、いわゆるカン止めが好ましい。このように、糸で縫って接続する際にその接続する箇所は、できるだけピンポイントとなるようにごく狭い範囲を縫い付けることが好ましく、ピンポイントであるためにその縫うための幅は、１０ミリメートル以下が好ましくさらに好ましくは５ミリメートル以下であり、０．５ミリメートル以上が好ましい。さらには２ミリメートル以下であり、０．５ミリメートル以上が好ましい。また、強度の高い糸を使用することが好ましく、ナイロンまたはポリエステルが好ましい。さらに、縫着手段１６０ａ、１６０ｂ同士の距離について、第２実施例においては、およそ２０ミリメートルが好ましい。また、他の第２凸部１２４と他の第凸部１４４も上記と同様の他の接続手段１６０、１６０を用いて接続する。なお他の接続手段１６０として、上記のとおり、縫って接続する縫着手段１６０ａ、１６０ｂのほかに、リベット止めあるいは、下向きのコの字状のピン、たとえばステイプラーのようなピンで接続することもできる。
【００３７】
また、上記の他の第１本体部１２０の裏面と他の第２本体部１４０の裏面において、上記他の接続手段１６０をカバーするようにクッション部材２００、２００を配置している。クッション部材２００、２００は、上記他の接続手段１６０の裏面から、その他に接続手段１６０をまたぐように配置され、上記縫着手段１６１ａ、１６０ｂによって他の第１本体部１２０と他の第２本体部１４０とともに糸で縫うことで固定されている。使用者にこの第２実施例におけるひざ用サポーター１００を使用した際に、クッション部材２００、２００は、ひざ周りを緩衝する文字通りクッションとなるというものである。
【００３８】
なお、他の第１凸部１２３および他の第２凸部１２４と比べて、他の凹部１２２ｃの湾曲する縦方向のへこみ量は相対的なものであるとし、他の第３凸部１４３および他の第４凸部１４４と、他の第２凹部１４２ｃの湾曲する縦方向のへこみ量は相対的なものであるとした意義は、上記のとおり他の接続手段１６０、１６０において他の第１帯部１２０と他の第２帯部１４０とを接続する際に他の凹部１２２ｃと他の第２凹部１４２ｃとで構成される箇所に使用者のひざ裏Ｎ１が露出するように巻きつけるためであると同時に、その他の接続手段１６０、１６０が配置されている他の第１凸部１２３と他の第３凸部１４３および他の第２凸部１２４と他の第４凸部１４４との接続が比較的ピンポイントとなるた用に接続されているからである。
【００３９】
このように２つの独立した部材である他の第１帯部１２０と他の第２帯部１４０とを他の接続手段１６０、１６０で接続することで、使用者が屈伸運動をして、仮に他の第１帯部１２０が大腿部Ｄの方向に移動しようとする場合であっても、その他の接続手段１６０、１６０における接続する箇所が上述のとおりピンポイントであるために、その引っ張られる箇所がその接続する箇所にとどまることで、他の第２帯部１４０が他の第１帯部１２０にひきずられにくくなり、その他の第２帯部１４０が、大腿部Ｄの方向に移動する位置ずれを可及的に防止することができる。また、逆も同様であり、すなわち仮に他の第２帯部１４０がすね部Ｓの方向に移動しようとする場合であっても、その他の接続手段１６０、１６０における接続する箇所が上述のとおりピンポイントであるために、他の第１帯部１２０が、他の第２帯部１４０にひきずられにくくなり、その第１帯部２０が、すね部Ｓの方向に移動する位置ずれを可及的に防止することができる。なお、この場合の他の接続手段１６０について、他の縫着手段１６０ａ、１６０ｂを用いることが好ましいことは言うまでもない。
【符号の説明】
【００４０】
１０、第１実施例におけるひざ用サポーター
２０、第１帯部
２１、本体部
２２、第１中央部
２２ｃ、凹部
２３、第１凸部
２４、第２凸部
２５、左端部
２６、右端部
２７、雌型面ファスナー
２８、雄型面ファスナー
３０、縁部
４０、第２帯部
４１、第２本体部
４２、第２中央部
４２ｃ、第２凹部
４３、第３凸部
４４、第４凸部
４５、第２左端部
４６、第２右端部
４７、雌型面ファスナー
４８、雄型面ファスナー
５０、第２縁部
６０、接続手段
６０ａ、縫着手段
１００、第２実施例におけるひざ用サポーター
１２０、他の第１帯部
１２１、他の本体部
１２２、他の第１中央部
１２２ｃ、他の凹部
１２３、他の第１凸部
１２４、他の第２凸部
１２５、他の左端部
１２６、他の右端部
１２７、他の雌型面ファスナー
１２８、他の雄型面ファスナー
１３０、他の縁部
１４０、他の第２帯部
１４１、他の第２本体部
１４２、他の第２中央部
１４２ｃ、他の第２凹部
１４３、他の第３凸部
１４４、他の第４凸部
１４５、他の第２左端部
１４６、他の第２右端部
１４８、雄型面ファスナー
１５０、他の第２縁部
１６０、他の接続手段
１６０ａ、１６０ｂ、他の縫着手段
２００、クッション部材
３００、締め付けベルト
【図１】
2018114120.tif 000003
【図２】
2018114120.tif 000004
【図３】
2018114120.tif 000005
【図４】
2018114120.tif 000006
【図５】
2018114120.tif 000007
【図６】
2018114120.tif 000008
【図７】
2018114120.tif 000009
【図８】
2018114120.tif 000010
【図９】
2018114120.tif 000011
【図１０】
2018114120.tif 000012